(57)【要約】【課題】高度広帯域衛星放送を含むケーブルテレビ信号の長距離伝送を提供する。【解決手段】プライマリ放送局、セカンダリ放送局、および受信局から構成されるシステムであって、セカンダリ放送局は、第一のチューナと、第一の送信ＩＰパケット処理部を備え、プライマリ放送局は、第一の受信ＩＰパケット処理部と、第二のチューナと、アップコンバータと、混合器と、第二の送信ＩＰパケット処理部を備え、受信局は、第二の受信ＩＰパケット処理部と、デジタル／アナログ変換回路と、出力部を備える。【選択図】図１
2018157521.tif 000002
【特許請求の範囲】
【請求項１】
プライマリ放送局、セカンダリ放送局、および受信局から構成される高度広帯域衛星放送を含むケーブルテレビ信号の伝送システムであって、
前記セカンダリ放送局は、
第一の放送波を受信し、受信した前記第一の放送波に対して選択的に直交復調を施し第一の放送波信号を生成する第一のチューナと、
前記第一の放送波信号から第一のＩＰパケットを生成して送信する第一の送信ＩＰパケット処理部を備え、
前記プライマリ放送局は、
前記セカンダリ放送局から前記第一のＩＰパケットを受信し、受信した前記第一のＩＰパケットから前記第一の放送波信号を抽出する第一の受信ＩＰパケット処理部と、
第二の放送波を受信し、受信した前記第二の放送波に対して選択的に直交復調を施し第二の放送波信号を生成する第二のチューナと、
抽出された前記第一の放送波信号および生成された前記第二の放送波信号を所定の周波数のデジタル信号に変換するアップコンバータと、
前記所定の周波数のデジタル信号を選択的に混合する混合器と、
前記混合された周波数のデジタル信号から第二のＩＰパケットを生成して送信する第二の送信ＩＰパケット処理部を備え、
前記受信局は、
前記プライマリ放送局から前記第二のＩＰパケットを受信し、受信した前記第二のＩＰパケットから前記デジタル信号を抽出する第二の受信ＩＰパケット処理部と、
前記デジタル信号をアナログ信号に変換するデジタル／アナログ変換回路と、
前記アナログ信号を電気信号で出力するか、または光信号に変換して出力する出力部
を備えることを特徴とするシステム。
【請求項２】
前記アップコンバータは、抽出された前記第一の放送波信号および生成された前記第二の放送波信号を所定の周波数のアナログ信号に変換し、
前記混合器は、前記所定の周波数のアナログ信号を選択的に混合し、
前記混合された周波数のアナログ信号をデジタル信号に変換するアナログ／デジタル変換回路をさらに備える
ことを特徴とする請求項１に記載のシステム。
【請求項３】
前記アナログ／デジタル変換回路は、前記混合された周波数の信号をアナログ信号から任意の周波数帯域ごとに分割してデジタル信号に変換し、
前記デジタル／アナログ変換回路は、前記任意の周波数帯域ごとに分割して変換された前記デジタル信号を複数のアナログ信号に変換する複数のデジタル／アナログ変換回路であって、
前記受信局は、前記複数のアナログ信号を混合する混合器をさらに備える
ことを特徴とする請求項２に記載のシステム。
【請求項４】
高度広帯域衛星放送を含むケーブルテレビ信号の伝送システムに実施させる方法であって、
第一の放送波を受信し、受信した前記第一の放送波に対して選択的に直交復調を施し第一の放送波信号を生成すること、
前記第一の放送波信号から第一のＩＰパケットを生成して送信すること、
前記第一のＩＰパケットを受信し、受信した前記第一のＩＰパケットから前記第一の放送波信号を抽出すること、
第二の放送波を受信し、受信した前記第二の放送波に対して選択的に直交復調を施し第二の放送波信号を生成すること、
抽出された前記第一の放送波信号および生成された前記第二の放送波信号を任意の周波数の信号に変換すること、
前記任意の周波数の信号を選択的に混合すること、
前記混合された周波数の信号をアナログ信号からデジタル信号に変換すること、
前記デジタル信号から第二のＩＰパケットを生成して送信すること、
前記第二のＩＰパケットを受信し、受信した前記第二のＩＰパケットから前記デジタル信号を抽出すること、
前記デジタル信号を前記アナログ信号に変換すること、
前記アナログ信号を電気信号で出力するか、または光信号に変換して出力すること
を含むことを特徴とする方法。
【請求項５】
前記アナログ信号からデジタル信号に変換することは、前記混合された周波数の信号をアナログ信号から任意の周波数帯域ごとに分割してデジタル信号に変換することであって、
前記デジタル信号を前記アナログ信号に変換することは、前記任意の周波数帯域ごとに分割して変換された前記デジタル信号を複数のアナログ信号に変換することであって、
前記複数のアナログ信号を混合することをさらに含む
ことを特徴とする請求項４に記載の方法。
【発明の詳細な説明】
【技術分野】
【０００１】
本発明は、高度広帯域衛星放送を含むケーブルテレビ信号の伝送システムおよび方法に関する。
【背景技術】
【０００２】
近年、ケーブルテレビ局では放送設備の集約、およびコストの低減を目的としたセントラルキャスティング方式を採用する局が増加している。セントラルキャスティング方式とは、放送受信エリアのブロック内で１つの親局を決め、系列局間の放送の伝送を親局で一括管理する方式である。つまり、放送設備がブロック内の親局に集約される。一方、放送設備の集約度が上がることによって、伝送距離が長くなるという側面を有する。
【０００３】
また、ＲＦ（Ｒａｄｉｏ Ｆｒｅｑｕｅｎｃｙ）信号によるテレビサービスは、同軸ケーブルでの電気信号、または、光ファイバを用いた直接もしくは外部光強度変調によって、アナログ伝送を行っている。
【０００４】
今後、日本ではＢＳ衛星および１１０度ＣＳ衛星から左旋円偏波を使用した４Ｋ・８Ｋ放送が予定されている（以下、高度広帯域衛星放送という）。そのような衛星放送は、対応テレビでそのまま受信できるようにするために、中間周波数（ＩＦ：Ｉｎｔｅｒｍｅｄｉａｔｅ Ｆｒｅｑｕｅｎｃｙ、以下、ＩＦという）に変換して伝送することが一般的である。ＢＳ衛星の左旋円偏波のＩＦは、２，２２４〜２，６８１ＭＨｚであり、ＣＳ衛星の左旋円偏波のＩＦは、２，７４８〜３，２２４ＭＨｚである（非特許文献１参照）。
【先行技術文献】
【非特許文献】
【０００５】
【非特許文献１】「4K・8Kロードマップに関するフォローアップ会合  第二次中間報告  参考資料」、総務省、平成２７年７月３０日、ｐ．４５、＜ＵＲＬ：http://www.soumu.go.jp/main_content/000370907.pdf＞
【発明の概要】
【発明が解決しようとする課題】
【０００６】
高度広帯域衛星放送のＩＦは、従来の放送波よりも高い周波数の信号である。そのような信号は、同軸ケーブルでの電気信号によるアナログ伝送を行うと信号の損失が大きくなり、光ファイバを用いた直接もしくは外部光強度変調によるアナログ伝送を行うと信号の損失が小さくなる一方で、光ファイバアンプを短い間隔で配置する必要がある。したがって、高度広帯域衛星放送のＩＦを含む放送波は、視聴可能な品質を保持した長距離伝送が困難であるという問題を有する。
【０００７】
長距離伝送が困難な状況を解決する方策として、放送波の受信点および伝送装置をより顧客側の近く（例えば、エリアの各局）に設置し、伝送距離を短くすることが考えられる。しかし、伝送装置は高価であること、および伝送特性による各局の偏りを抑える維持メンテナンスのため、各局に出向いて調整する人員と技能が必要となること等の問題を有する。
【０００８】
また、上述したように、放送の伝送を親局等で一括管理することによって、各エリアで受信可能な放送波を管理することがより困難となる。各放送波は、受信可能なエリアが限られていることから、各局の伝送特性等を親局が考慮する必要があるためである。例えば、Ｘ県の親局で受信した放送波がＡ市、Ｂ市、およびＣ市に共通で伝送され、Ａ市はさらに、Ａ市のみで受信可能な地上デジタルテレビ放送も伝送する等、チャンネルプランによって割り当てられた周波数、出力が地域ごとに異なる場合がある。そのため、Ｘ県の親局は、Ａ市の放送波と、Ｂ市およびＣ市の放送波とを区別して管理する必要がある。
【０００９】
本発明は上記の課題に対して成されたものであり、高度広帯域衛星放送を含むケーブルテレビ信号の長距離伝送を提供することを目的とする。より詳細には、距離に依存しない伝送方法として、受信した放送波をＩＰパケットに変換して顧客側に設置される受信局へ伝送し、受信局で放送波を再現して顧客に伝送する。
【課題を解決するための手段】
【００１０】
上記課題を解決するために、本発明の高度広帯域衛星放送を含むケーブルテレビ信号の伝送システムは、プライマリ放送局、セカンダリ放送局、および受信局から構成される高度広帯域衛星放送を含むケーブルテレビ信号の伝送システムであって、セカンダリ放送局は、第一の放送波を受信し、受信した第一の放送波に対して選択的に直交復調を施し第一の放送波信号を生成する第一のチューナと、第一の放送波信号から第一のＩＰパケットを生成して送信する第一の送信ＩＰパケット処理部を備え、プライマリ放送局は、セカンダリ放送局から第一のＩＰパケットを受信し、受信した第一のＩＰパケットから第一の放送波信号を抽出する第一の受信ＩＰパケット処理部と、第二の放送波を受信し、受信した第二の放送波に対して選択的に直交復調を施し第二の放送波信号を生成する第二のチューナと、抽出された第一の放送波信号および生成された第二の放送波信号を任意の周波数のデジタル信号に変換するアップコンバータと、任意の周波数のデジタル信号を選択的に混合する混合器と、デジタル信号から第二のＩＰパケットを生成して送信する第二の送信ＩＰパケット処理部を備え、受信局は、プライマリ放送局から第二のＩＰパケットを受信し、受信した第二のＩＰパケットからデジタル信号を抽出する第二の受信ＩＰパケット処理部と、デジタル信号をアナログ信号に変換するデジタル／アナログ変換回路と、アナログ信号を電気信号で出力するか、または光信号に変換して出力する出力部を備える。
【発明の効果】
【００１１】
本発明によれば、アナログ伝送距離を受信局から顧客の自宅等までに短縮すること、および、セカンダリ放送局で受信する放送波をＩＰ伝送によりプライマリ放送局に送信することが可能となるため、高周波であっても高品質の信号を顧客に伝送することができる。
【００１２】
また、高度広帯域衛星放送を含むケーブルテレビ信号の全てにおいて、ＩＰパケットによる長距離伝送が実現される。
【００１３】
さらに、必要な人員と高度な技能をプライマリ放送局側に偏重できるため、作業工数および工費の削減に寄与し、維持メンテナンスの費用が低減される。
【００１４】
さらに、顧客側に設置される装置は、単純化された安価な装置とすることができるため、広範に分布する受信局に設置される場合にも費用が低減される。
【図面の簡単な説明】
【００１５】
【図１】本発明の一実施形態にかかるシステム構成の概要を例示する図である。
【図２】本発明の一実施形態にかかる処理の流れを例示するフロー図である。
【発明を実施するための形態】
【００１６】
以下、図面を参照しながら本発明の実施形態について詳細に説明する。実施形態の説明の全体を通して、同じ要素には同じ番号を付している。
【００１７】
図１は、本発明の一実施形態にかかるシステム構成の概要を例示する図である。図１は、概略的に、プライマリ放送局１００とセカンダリ放送局１２０および受信局１３０がＥｔｈｅｒｎｅｔ（登録商標）中継網を介して接続され、受信局１３０と顧客宅がＣＡＴＶ中継網を介して接続されることを例示する。
【００１８】
プライマリ放送局１００は、複数の配信エリアを管理し、集中的に放送波の信号の処理を施す放送局である。セカンダリ放送局１２０は、プライマリ放送局１００によって管理される各配信エリアに設置される放送局である。受信局１３０は、プライマリ放送局１００によって送信されたＩＰパケットを受信し、放送波信号に変換する受信局１３０である。なお、セカンダリ放送局１２０と配信エリアとは必ずしも一対一の関係にならず、一対多または多対一であってもよい。また、セカンダリ放送局１２０と受信局１３０は、同一の設備であってもよい。
【００１９】
（プライマリ放送局の構成）
プライマリ放送局１００は、複数の配信エリアを管理し、集中的に放送波の信号の処理を施す放送局である。プライマリ放送局１００は、例えば、ＡＴＳＣ（Advanced Television Systems Committee standard）、ＤＶＢ（Digital Video Broadcasting）、ＩＳＤＢ（Integrated Services Digital Broadcasting）等の方式のデジタル放送波を受信することができる。また、プライマリ放送局１００は、以下で述べるセカンダリ放送局１２０から受信したＩＰパケットを放送波に変換する。そして、これらの放送波をエリアごとに定められた周波数にアップコンバートし、エリアごとに必要な放送波のみ混合された信号をＩＰパケットに変換して受信局１３０に伝送する。これによって、エリアごとに放送波の調整を実施することができる。プライマリ放送局１００は、チューナ１０２、受信ＩＰパケット処理部１０４、アップコンバータ１０６、混合器１０８、アナログ／デジタル変換回路１１０、および送信ＩＰパケット処理部１１２を備える。
【００２０】
チューナ１０２は、アンテナ設備から放送波を受信し、受信対象となる放送波に対して選択的に直交復調を施し、Ｉ／Ｑ信号を生成する。受信する放送波は、例えば、ＦＭ、ＯＦＤＭ、６４ＱＡＭ（２５６ＱＡＭ）、ＴＣ８ＰＳＫ／ＢＰＳＫ、１６ＡＰＳＫ等により変調された信号であり、高度広帯域衛星放送の信号も含まれ得る。直交復調は、例えば、バンドパスフィルタで周波数をフィルタリングし、チャンネル単位で行うことができる。直交復調はまた、複数チャンネル単位または帯域単位で行うこともでき、後述するアナログ／デジタル変換回路１１０の後段にチャンネルの分離を行う回路を備えてもよい。
【００２１】
受信ＩＰパケット処理部１０４は、Ｅｔｈｅｒｎｅｔ（登録商標）中継網を介して、セカンダリ放送局１２０からＩＰパケットを受信し、Ｉ／Ｑ信号を抽出する。受信ＩＰパケット処理部１０４は、例えば、ＳＭＰＴＥ２０２２−７（Seamless Protection Switching of SMPTE ST 2022 IP Datagrams）に準拠した冗長構成とすることで、ＩＰパケットがロストした場合でも、ＲＴＰシーケンス番号からＩＰパケットを補完することができる。ここで、理解を容易にするために、チューナ１０２によって生成されたＩ／Ｑ信号を放送波導出Ｉ／Ｑ信号と称し、受信ＩＰパケット処理部１０４によって生成されたＩ／Ｑ信号をＩＰパケット導出Ｉ／Ｑ信号と称する。
【００２２】
後述するが、各セカンダリ放送局１２０は、対象の配信エリアで放送波を受信し、その放送波に基づいてＩＰパケットを生成しているため、ＩＰパケット導出Ｉ／Ｑ信号は、セカンダリ放送局１２０に対応する配信エリアが受信可能な放送波の信号となる。
【００２３】
アップコンバータ１０６は、放送波導出Ｉ／Ｑ信号およびＩＰパケット導出Ｉ／Ｑ信号を、配信エリアごとに定められたチャンネルプランに従った周波数にアップコンバートする。このとき、配信エリアごとにチャンネルプランが異なる場合、放送波導出Ｉ／Ｑ信号またはＩＰパケット導出Ｉ／Ｑ信号とアップコンバート後の周波数とは一対多の関係になる。例えば、チューナ１０２がＣ５２ｃｈを受信し、そのＣ５２ｃｈに対応するチャンネルプランが配信エリアＡでＣ１７ｃｈ、および配信エリアＢでＣ２１ｃｈと定められている場合、Ｃ１７ｃｈおよびＣ２１ｃｈにそれぞれアップコンバートすることができる。アップコンバータ１０６はまた、アナログ信号とデジタル信号のいずれでも処理を行うことができる。
【００２４】
混合器１０８は、アップコンバートされた信号を混合する。混合器１０８は、配信エリアごとに作成を所望する、チャンネルプランごとに選択された任意の周波数を混合器１０８の入力信号とし、チャンネルプランの数に応じて混合器１０８を使用することができる。混合器１０８はまた、アナログ信号とデジタル信号のいずれでも処理を行うことができる。
【００２５】
アナログ／デジタル変換回路１１０は、アナログ信号をデジタル信号に変換する。デジタル信号への変換は、全周波数帯域に対して行うことができる。また、別の実施形態では、アナログ／デジタル変換回路１１０は、５００ＭＨｚ、１ＧＨｚごと等の周波数帯域に分割してデジタル信号への変換を行うこともできる。分割した周波数帯域に対する処理は、全周波数帯域に対する処理と比較して、要求される処理性能が緩和されるため、回路の単純化、低廉化等を図ることができる。アナログ／デジタル変換回路１１０は、アップコンバータ１０６および混合器１０８がデジタル信号の処理を行った場合、不要とすることができる。
【００２６】
送信ＩＰパケット処理部１１２は、変換されたデジタル信号をＩＰパケットに変換した後、Ｅｔｈｅｒｎｅｔ（登録商標）中継網を介して、受信局１３０に送信する。ＩＰパケットへの変換は、ＲＴＰ（Real-time Transport Protocol）、ＵＤＰ（User Datagram Protocol）等のプロトコルによりカプセル化されることで実現される。
【００２７】
（セカンダリ放送局の構成）
セカンダリ放送局１２０は、放送可能なエリアが限られている各放送波が配信される拠点ごとに設置され、各放送波を受信する地点である。セカンダリ放送局１２０は、受信した各放送波をＩＰパケットに変換してプライマリ放送局１００に送信する。セカンダリ放送局１２０は、チューナ１２２、送信ＩＰパケット処理部１２４を備える。
【００２８】
チューナ１２２は、前述したプライマリ放送局１００のチューナ１０２と同様であるため、説明を省略する。
【００２９】
送信ＩＰパケット処理部１２４は、前述のチューナ１２２で生成されたＩ／Ｑ信号をＩＰパケットに変換した後、Ｅｔｈｅｒｎｅｔ（登録商標）中継網を介して、プライマリ放送局１００に送信する。ＩＰパケットへの変換は、プライマリ放送局１００の送信ＩＰパケット処理部１１２で述べたような方法により実現される。
【００３０】
（受信局の構成）
受信局１３０は、プライマリ放送局１００から送信されたＩＰパケットを受信し、放送波信号に変換する。受信局１３０は、受信したＩＰパケットから、各放送波の信号を抽出し、ＣＡＴＶ中継網を介して、放送波の電気信号または光信号を顧客に対して伝送する。受信局１３０は、受信ＩＰパケット処理部１３２、デジタル／アナログ変換回路１３４、および出力部１３８を備える。また、別の実施形態において、さらに混合器１３６を備えることができる。なお、受信局１３０は、以下で述べる処理が可能であれば、受信局１３０と顧客宅が同一であってもよい。
【００３１】
受信ＩＰパケット処理部１３２は、Ｅｔｈｅｒｎｅｔ（登録商標）中継網を介して、プライマリ放送局１００からＩＰパケットを受信し、デジタル信号を抽出する。受信ＩＰパケット処理部１３２は、例えば、ＳＭＰＴＥ２０２２−７に準拠した冗長構成とすることで、ＩＰパケットがロストした場合でも、ＲＴＰシーケンス番号からＩＰパケットを補完することができる。
【００３２】
デジタル／アナログ変換回路（以下、ＤＡＣという）１３４は、抽出したデジタル信号をアナログ信号に変換する。ＤＡＣ１３４で変換されたアナログ信号は、電気信号として得られる。また、別の実施形態では、デジタル信号が分割されている場合、複数のＤＡＣ１３４を使用して、デジタル信号をアナログ信号に変換することができる。この場合、複数のＤＡＣ１３４の後段で混合器１３６を使用し、混合することもできる。
【００３３】
出力部１３８は、ＤＡＣ１３４で得られた信号を電気信号として使用するか、または光送信機のレーザを駆動する信号として使用し（直接変調型光送信機）、顧客に対して放送波を伝送することができる。
【００３４】
このようにＩＰ伝送とアナログ伝送を併用することで、高度広帯域衛星放送の信号を含むケーブルテレビ信号について、長距離伝送が可能となる。
【００３５】
図２は、本発明の一実施形態にかかる処理の流れを例示するフロー図である。以下、セカンダリ放送局、プライマリ放送局、および受信局に分けて処理の流れを説明する。ここで、Ａ市のチャンネルプランはＣ１ｃｈ、Ｃ２ｃｈ、Ｃ３ｃｈ、Ｃ４ｃｈおよびＣ５ｃｈ、Ｂ市およびＣ市のチャンネルプランはＣ１ｃｈ、Ｃ２ｃｈおよびＣ３ｃｈとして説明する。
【００３６】
（セカンダリ放送局の処理）
ステップＳ２０１において、セカンダリ放送局１２０は、チューナ１２２によって、アンテナ設備から放送波を受信し、受信対象となる放送波に対して選択的に直交復調を施し、Ｉ／Ｑ信号を生成する。例えば、Ａ市に設置されたセカンダリ放送局１２０は、チューナ１２２によって、アンテナ設備からＡ市のみに配信される放送波を受信し、受信対象の放送波に対して選択的に直交復調を施し、Ｉ／Ｑ信号を生成する。
【００３７】
ステップＳ２０２において、セカンダリ放送局１２０は、送信ＩＰパケット処理部１２４によって、Ｉ／Ｑ信号をＩＰパケットに変換する。
【００３８】
ステップＳ２０３において、セカンダリ放送局１２０は、送信ＩＰパケット処理部１２４によって、ＩＰパケットをプライマリ放送局１００に送信する。
【００３９】
（プライマリ放送局の処理）
ステップＳ２０４において、プライマリ放送局１００は、受信ＩＰパケット処理部１０４によって、セカンダリ放送局１２０からＩＰパケットを受信し、ＩＰパケット導出Ｉ／Ｑ信号を抽出する。プライマリ放送局１００は、ＩＰパケット導出Ｉ／Ｑ信号によって、セカンダリ放送局１２０が設置されたエリアでしか受信できない放送波を処理することができるようになる。また、プライマリ放送局１００は、チューナ１０２によって、アンテナ設備から放送波を受信し、受信対象となる放送波に対して選択的に直交復調を施し、放送波導出Ｉ／Ｑ信号を生成する。ＩＰパケット導出Ｉ／Ｑ信号の抽出と、放送波導出Ｉ／Ｑ信号の生成は、時間の前後を問わず、並列処理としてもよい。
【００４０】
ステップＳ２０５において、プライマリ放送局１００は、アップコンバータ１０６によって、放送波導出Ｉ／Ｑ信号およびＩＰパケット導出Ｉ／Ｑ信号を配信エリアごとに定められたチャンネルプランに従った周波数にアップコンバートする。例えば、Ｂ社およびＣ社のチャンネルプランであるＣ１ｃｈ、Ｃ２ｃｈおよびＣ３ｃｈに従った周波数にアップコンバートすることができる。
【００４１】
ステップＳ２０６において、プライマリ放送局１００は、混合器１０８によって、アップコンバートされた信号を混合する。混合された信号は、チャンネルプランの数に応じて複数生成され得る。例えば、Ｂ市およびＣ市のチャンネルプランは、Ｃ１ｃｈ、Ｃ２ｃｈおよびＣ３ｃｈを混合し、Ａ市のチャンネルプランでは、Ｃ１ｃｈ、Ｃ２ｃｈ、Ｃ３ｃｈ、Ｃ４ｃｈおよびＣ５ｃｈを混合することができる。
【００４２】
ステップＳ２０７において、プライマリ放送局１００は、アナログ／デジタル変換回路１１０によって、アナログ信号をデジタル信号に変換する。ここで、ステップＳ２０５およびステップＳ２０６において、デジタル信号の処理を行った場合、ステップＳ２０７の処理は不要となる。
【００４３】
ステップＳ２０８において、プライマリ放送局１００は、送信ＩＰパケット処理部１１２によって、デジタル信号をＩＰパケットに変換する。
【００４４】
ステップＳ２０９において、プライマリ放送局１００は、送信ＩＰパケット処理部１１２によって、ＩＰパケットを受信局１３０に送信する。
【００４５】
（受信局の処理）
ステップＳ２１０において、受信局１３０は、受信ＩＰパケット処理部１３２によって、プライマリ放送局１００からＩＰパケットを受信し、デジタル信号を抽出する。抽出するデジタル信号は、Ａ市の受信局１３０とＢ市の受信局１３０で異なり得る。例えば、Ａ市の受信局１３０では、Ｃ１ｃｈ、Ｃ２ｃｈ、Ｃ３ｃｈ、Ｃ４ｃｈおよびＣ５ｃｈを含むデジタル信号を抽出し、Ｂ市の受信局１３０では、Ｃ１ｃｈ、Ｃ２ｃｈおよびＣ３ｃｈを含むデジタル信号を抽出することがある。
【００４６】
ステップＳ２１１において、受信局１３０は、デジタル信号が分割されているかどうかを判定する。デジタル信号の分割の判定は、例えば、オーバヘッドデータに分割を示すデータが格納されているかどうか等により行うことができる。
【００４７】
ステップＳ２１２において（ステップＳ２１１でＮＯの場合）、受信局１３０は、ＤＡＣ１３４によって、デジタル信号をアナログ信号に変換する。
【００４８】
ステップＳ２１５において、受信局１３０は、放送波の電気信号または光信号を顧客に対して伝送する。
【００４９】
このようにすることで、プライマリ放送局１００で受信する放送波、セカンダリ放送局１２０で受信する配信エリアが限定された各放送波について、配信エリアに従い管理できる。また、受信局１３０の処理が簡素化されることで、受信局１３０に設置される装置は、単純化された安価な装置とすることができる。さらに、セカンダリ放送局１２０からプライマリ放送局１００への伝送、およびプライマリ放送局から受信局１３０への伝送がＩＰ伝送により行われるため、長距離の伝送が可能となる。
【００５０】
さらに、別の実施形態において、図２を用いて説明する。ステップＳ２０１〜Ｓ２０６、ステップＳ２０８〜Ｓ２１１、およびステップS２１５は前述の通りであるため説明を省略する。
【００５１】
ステップＳ２０７において、プライマリ放送局１００は、アナログ／デジタル変換回路１１０によって、アナログ信号をデジタル信号に変換する。このとき、例えば、５００ＭＨｚ、１ＧＨｚごと等の周波数帯域に分割してデジタル信号への変換を行う。周波数帯域を分割して処理することで、アナログ／デジタル変換回路１１０に要求される処理性能は緩和され、回路の単純化、低廉化等を図ることができる。
【００５２】
ステップＳ２１３において（ステップＳ２１１でＹＥＳの場合）、受信局１３０は、複数のＤＡＣ１３４によって、デジタル信号をアナログ信号に変換する。周波数帯域を分割して処理することで、複数のＤＡＣ１３４に要求される処理性能は緩和され、回路の単純化、低廉化等を図ることができる。
【００５３】
ステップＳ２１４において（ステップＳ２１１でＹＥＳの場合）、受信局１３０は、混合器１３６によって、ステップＳ２１３で得られたアナログ信号を全て混合する。チャンネルプランの制御はプライマリ放送局１００によって行われ、受信局１３０で混合の単位を考慮する必要がないため、受信局１３０の処理が簡素化され、受信局１３０に設置される装置は、単純化された安価な装置とすることができる。
【００５４】
本明細書および図面において開示される実施形態は一例にすぎず、本発明の技術的範囲を定める際に、本開示の内容に限定して解釈されるべきではない。説明のため各処理を分けて記載したが、各処理を統合、連携させ、それぞれが有する処理の一部または全部を他方が行うように実装され得る。
【図１】
2018157521.tif 000003
【図２】
2018157521.tif 000004